(57)【要約】      （修正有）【課題】電気遮断後の復帰が可能なバックラップ型温度リミッタを提供する。【解決手段】バックラップ型温度リミッタであり、絶縁ベース１、第１端子１１、第２端子１２、電気導通弾性シート２及びアーチ状温度検出シート３を備え、電気導通弾性シート２は、絶縁ベース１の上端面に設けられ、電気導通弾性シート２の一端は、第１端子１１に固定して接続され、可動電気導通弾性シート２の他端は、第２端子１２に嵌合して電気的に接続され、電気導通弾性シート２の両端のいずれにも温度検出シート３の端部に係合される固定係合部２１が設けられ、電気導通弾性シート２の両側には、温度検出シート３と嵌合する組立用係合部が設けられる。温度検出シート３に係合部を増設することでそれを電気導通弾性シート２に素早く取り付けることができ、固定係合部２１と組立用係合部により温度検出シート３の位置が制限される。【選択図】図１
0003223641.tif 000002
【実用新案登録請求の範囲】
【請求項１】
絶縁ベース（１）、第１端子（１１）、第２端子（１２）、電気導通弾性シート（２）及びアーチ状温度検出シート（３）を備える電気遮断後の復帰可能なバックラップ型温度リミッタであって、前記第１端子（１１）及び第２端子（１２）は、それぞれ絶縁ベース（１）の両端に射出成形して接続され、前記電気導通弾性シート（２）は、絶縁ベース（１）の上端面に設けられ、電気導通弾性シート（２）の一端は、第１端子（１１）に固定して接続され、可動電気導通弾性シート（２）の他端は、第２端子（１２）に嵌合して電気的に接続され、温度検出シート（３）は、電気導通弾性シート（２）の上面に設けられ、前記電気導通弾性シート（２）の両端のいずれにも温度検出シート（３）の端部に係合された固定係合部（２１）が設けられ、電気導通弾性シート（２）の両側には、温度検出シート（３）と嵌合する組立用係合部が設けられることを特徴とする電気遮断後の復帰可能なバックラップ型温度リミッタ。
【請求項２】
前記絶縁ベース（１）の両端のいずれにも射出成形孔（１０）が設けられ、第１端子（１１）には、第１折り畳み板（１１１）が設けられ、第２端子（１２）には、第２折り畳み板（１２１）が設けられ、第１折り畳み板（１１１）及び第２折り畳み板（１２１）は、それぞれ対応した射出成形孔（１０）に挿通されて、射出成形方式によって第１端子（１１）、第２端子（１２）を絶縁ベース（１）に接続して一体構造にし、前記第１折り畳み板（１１１）、第２折り畳み板（１２１）の上端面が絶縁ベース（１）の上端面に露出されており、且つ、第１折り畳み板（１１１）、第２折り畳み板（１２１）のいずれにも垂直貫通孔（１００）が設けられることを特徴とする請求項１に記載の電気遮断後の復帰可能なバックラップ型温度リミッタ。
【請求項３】
前記組立用係合部は、制限タブ（２２）と案内タブ（２３）とを備え、電気導通弾性シート（２）の一側には、少なくとも２つの制限タブ（２２）が設けられ、電気導通弾性シート（２）の他側には、少なくとも２つの案内タブ（２３）が設けられ、案内タブ（２３）と電気導通弾性シート（２）との内夾角が１２０°より大きいことを特徴とする請求項１に記載の電気遮断後の復帰可能なバックラップ型温度リミッタ。
【請求項４】
前記絶縁ベース（１）の上端面の両側のいずれにも抜け止め係合部（１３）が設けられ、絶縁ベース（１）の上端面の両端のいずれにも衝突防止カードプレート（１４）が設けられることを特徴とする請求項３に記載の電気遮断後の復帰可能なバックラップ型温度リミッタ。
【請求項５】
前記第２折り畳み板（１２１）の貫通孔（１００）には、固定接点（１５）が設けられ、電気導通弾性シート（２）の他端には、可動接点（２５）が設けられ、可動接点（２５）に対応した衝突防止カードプレート（１４）の両側のいずれにも絶縁ガードプレート（１４１）が設けられることを特徴とする請求項４に記載の電気遮断後の復帰可能なバックラップ型温度リミッタ。
【請求項６】
前記絶縁ベース（１）の上端面には、ガイド円錐台部（１６）が設けられ、電気導通弾性シート（２）の中央部には、制限孔（２４）が設けられ、ガイド円錐台部（１６）は、制限孔（２４）に挿通され、且つガイド円錐台部（１６）の上端が温度検出シート（３）の凹面に対応して設けられることを特徴とする請求項１に記載の電気遮断後の復帰可能なバックラップ型温度リミッタ。
【請求項７】
ＰＴＣ発熱素子（４）と電気導通ラップシート（４１）とをさらに備え、前記絶縁ベース（１）の底面には、収納キャビティ（１７）が設けられ、ＰＴＣ発熱素子（４）は、収納キャビティ（１７）に設けられ、第２端子（１２）には、折りタブ（１８）が設けられ、折りタブ（１８）の一端が収納キャビティ（１７）に挿通されかつＰＴＣ発熱素子（４）の上端面に電気導通可能に設けられ、前記電気導通ラップシート（４１）は、「Ｚ」字形曲げシートであり、電気導通ラップシート（４１）の一端は、ＰＴＣ発熱素子（４）の下端面に貼り付けられ、電気導通ラップシート（４１）の他端、電気導通弾性シート（２）の一端は、第１折り畳み板（１１１）における貫通孔（１００）にリベット固定されることを特徴とする請求項１に記載の電気遮断後の復帰可能なバックラップ型温度リミッタ。
【考案の詳細な説明】
【技術分野】
【０００１】
本考案は、サーモスタットの技術分野に関し、具体的には、電気遮断後の復帰可能なバックラップ型温度リミッタである。
【背景技術】
【０００２】
温度センサは、自動動作による保護、閉路保持、電気遮断時の自動復帰の機能を有する感温式制御装置である。用途が幅広く、柔軟に使用でき、電器の回路の作動安全性を確保し、作動温度の過昇温による損害の問題を防止できる。温度センサは、スマート炊飯器、圧力鍋などの電気加熱容器の小型家電製品の分野に広く使用されており、温度を検知することで自動加熱調整を行う以外、過熱保護についての安全上の要求がＧＢ４７０６．１家電安全基準などにより必須とされる。
【０００３】
現在、市販されているサーモスタットは、多様化されており、その中でも、加熱保護用のバイメタル式サーモスタットは、最も一般的な１つであり、その原理として、接触して加熱されることで電気機器の作動温度を検知し、温度が臨界点に達したとき、バイメタルがジャンプして変形し、電気導通端子を駆動して回路をオフさせて電器への電気を素早く遮断させることによって、過熱保護及び電気遮断制御の目的を実現する。このようなサーモスタットでは、バイメタルが温度臨界点では瞬間的に動作し、サーモスタットの内部にはバイメタル、電気導通端子のジャンプ動作に十分なスペースが必要とされ、そして、バイメタル、電気導通端子が強力に固定されていないため、脱落したりすることがよくある。
【０００４】
たとえば、中国特許ＣＮ２０４１５５８４０Ｕにおいて開示されたサーモスタットは、ベース、ＰＴＣ加熱素子、弾性シート及び温度シートを備え、前記弾性シートがベースの上面に取り付けられ、弾性シートの上面には弾性シート係合部が設けられ、ベースの上面にはベース係合部が設けられ、前記ベース係合部が前記弾性シートを貫通して、前記弾性シート係合部とともに前記温度シートを係合し、前記温度シートには、前記弾性シート係合部及びベース係合部と嵌合する係合溝が設けられる。このような取付方式は、ある程度で温度シートの脱落を避けるが、各部材の構造が複雑であるので、組み立てにくくなる。
【０００５】
したがって、従来の技術には、改良及び発展が必要とされる。
【考案の概要】
【考案が解決しようとする課題】
【０００６】
本考案の目的は、従来技術の欠陥及び欠点に対して、構造が合理的であり、組み立てやすく、衝突防止とアーク放電防止が可能な電気遮断後の復帰可能なバックラップ型温度リミッタを提供することである。
【課題を解決するための手段】
【０００７】
上記目的を達成させるために、本考案は、以下の技術案を採用する。
【０００８】
本考案に係る電気遮断後の復帰可能なバックラップ型温度リミッタは、絶縁ベース、第１端子、第２端子、電気導通弾性シート及びアーチ状温度検出シートを備え、前記第１端子及び第２端子は、それぞれ絶縁ベースの両端に射出成形して接続され、前記電気導通弾性シートは、絶縁ベースの上端面に設けられ、電気導通弾性シートの一端は、第１端子に固定して接続され、可動電気導通弾性シートの他端は、第２端子に嵌合して電気的に接続され、温度検出シートは、電気導通弾性シートの上面に設けられ、前記電気導通弾性シートの両端のいずれにも温度検出シートの端部に係合された固定係合部が設けられ、電気導通弾性シートの両側には、温度検出シートと嵌合する組立用係合部が設けられる。
【０００９】
以上の技術案によれば、前記絶縁ベースの両端のいずれにも射出成形孔が設けられ、第１端子には、第１折り畳み板が設けられ、第２端子には、第２折り畳み板が設けられ、第１折り畳み板及び第２折り畳み板は、それぞれ対応した射出成形孔に挿通されて、射出成形方式によって第１端子、第２端子を絶縁ベースに接続して一体構造にし、前記第１折り畳み板、第２折り畳み板の上端面が絶縁ベースの上端面に露出されており、且つ、第１折り畳み板、第２折り畳み板のいずれにも垂直貫通孔が設けられる。
【００１０】
以上の技術案によれば、前記組立用係合部は、制限タブと案内タブとを備え、電気導通弾性シートの一側には、少なくとも２つの制限タブが設けられ、電気導通弾性シートの他側には、少なくとも２つの案内タブが設けられ、案内タブと電気導通弾性シートとの内夾角が１２０°より大きい。
【００１１】
以上の技術案によれば、前記絶縁ベースの上端面の両側のいずれにも抜け止め係合部が設けられ、絶縁ベースの上端面の両端のいずれにも衝突防止カードプレートが設けられる。
【００１２】
以上の技術案によれば、前記第２折り畳み板の貫通孔には、固定接点が設けられ、電気導通弾性シートの他端には、可動接点が設けられ、可動接点に対応した衝突防止カードプレートの両側のいずれにも絶縁ガードプレートが設けられる。
【００１３】
以上の技術案によれば、前記絶縁ベースの上端面には、ガイド円錐台部が設けられ、電気導通弾性シートの中央部には、制限孔が設けられ、ガイド円錐台部は、制限孔に挿通され、且つガイド円錐台部の上端が温度検出シートの凹面に対応して設けられる。
【００１４】
以上の技術案によれば、ＰＴＣ発熱素子と電気導通ラップシートとをさらに備え、前記絶縁ベースの底面には、収納キャビティが設けられ、ＰＴＣ発熱素子は、収納キャビティに設けられ、第２端子には、折りタブが設けられ、折りタブの一端が収納キャビティに挿通されかつＰＴＣ発熱素子の上端面に電気導通可能に設けられ、前記電気導通ラップシートは、「Ｚ」字形曲げシートであり、電気導通ラップシートの一端は、ＰＴＣ発熱素子の下端面に貼り付けられ、電気導通ラップシートの他端、電気導通弾性シートの一端は、第１折り畳み板における貫通孔にリベット固定される。
【考案の効果】
【００１５】
本考案の有益な効果は、以下のとおりである。本考案は、構造が合理的であり、温度検出シートに係合部を増設することでそれを電気導通弾性シートに素早く取り付けることができ、固定係合部と組立用係合部により温度検出シートの位置が制限され、温度検出シートが変形して跳躍するときに生じたシフトや緩みを防止し、抜け止め係合部が温度検出シートの電気導通弾性シートからの脱落を止め、また、抜け止め係合部及び衝突防止カードプレートが電気導通弾性シートと温度検出シートを４つの面から保護し、さらに絶縁ガードプレートが固定接点及び可動接点を包囲して電気スパークの外部への放出を防止し、全体的に構造がコンパクトで、安定的に嵌合しており、容易に組み立てられる。
【図面の簡単な説明】
【００１６】
【図１】本考案による絶縁ベースの分解構造模式図である。
【図２】本考案による全体の断面構造模式図である。
【図３】本考案による絶縁ベースの射出成形構造模式図である。
【図４】本考案による全体の分解構造模式図である。
【考案を実施するための形態】
【００１７】
以下、図面及び実施例を参照しながら、本考案の技術案を説明する。
【００１８】
図１−４に示されるように、電気遮断後の復帰可能なバックラップ型温度リミッタは、絶縁ベース１、第１端子１１、第２端子１２、電気導通弾性シート２及びアーチ状温度検出シート３を備え、前記第１端子１１及び第２端子１２は、それぞれ絶縁ベース１の両端に射出成形して接続され、前記電気導通弾性シート２は、絶縁ベース１の上端面に設けられ、電気導通弾性シート２の一端は、第１端子１１に固定して接続され、可動電気導通弾性シート２の他端は、第２端子１２に嵌合して電気的に接続され、温度検出シート３は、電気導通弾性シート２の上面に設けられ、前記電気導通弾性シート２の両端のいずれにも温度検出シート３の端部に係合された固定係合部２１が設けられ、電気導通弾性シート２の両側には、温度検出シート３と嵌合する組立用係合部が設けられる。上記部材は、本考案の本体構造であり、絶縁ベース１は、温度リミッタを取り付ける各部材を収納するものであり、一体に射出成形された絶縁ベース１、第１端子１１及び第２端子１２は、加工及び組立の効率がより高くなり、その中でも、第１端子１１、第２端子１２、電気導通弾性シート２は、導電性材質とすることで作動回路のオン・オフスイッチを構成し、温度検出シート３は、形状記憶機能を有するバイメタルであり、作動温度が臨界値を超えると、自身の変形により電気導通弾性シート２の自由端をバウンスすることによって、第１端子１１と第２端子１２との間の電気的接続をオフさせ、作動回路をオフさせ、温度が下がると、温度検出シート３の変形が回復して、電気導通弾性シート２を作動回路と導通し、前記固定係合部２１及び組立用係合部は、周辺から温度検出シート３を包囲することにより、温度検出シート３の跳躍変形動作による電気導通弾性シート２からの脱離を防止し、２つの固定係合部２１が電気導通弾性シート２に設けられたため、温度リミッタを全体として組み立てる前に、温度検出シート３を電気導通弾性シート２に組み立ておいてもよく、このように、１つのパーツの組立工程を減少させて、組立効率を効果的に高める。
【００１９】
前記絶縁ベース１の両端のいずれにも射出成形孔１０が設けられ、射出成形孔１０は、型開きのためのプレ孔であり、第１端子１１には、第１折り畳み板１１１が設けられ、第２端子１２には、第２折り畳み板１２１が設けられ、第１折り畳み板１１１及び第２折り畳み板１２１は、それぞれ対応した射出成形孔１０に挿通されて、射出成形方式によって第１端子１１、第２端子１２を絶縁ベース１に接続して一体構造にし、前記第１折り畳み板１１１、第２折り畳み板１２１の上端面が絶縁ベース１の上端面に露出されており、且つ、第１折り畳み板１１１、第２折り畳み板１２１のいずれにも垂直貫通孔１００が設けられ、貫通孔１００は、絶縁ベース１を一体射出成形するときのプレ孔であり、温度リミッタのほかの部材の後続の組立を実施しやすくするために、貫通孔１００の下端が絶縁ベース１の下端面を貫通しており、前記第１端子１１と第１折り畳み板１１１、第２端子１２と第２折り畳み板１２１は、いずれも一体打ち抜き成形構造であり、絶縁ベース１１の射出成形プロセスにより第１端子１１及び第２端子１２が一体構造として構成され、それによって、製品の構造強度及び絶縁性能を効果的に向上させるとともに、組立工程を減少させる。
【００２０】
前記組立用係合部は、制限タブ２２と案内タブ２３とを備え、電気導通弾性シート２の一側には、少なくとも２つの制限タブ２２が設けられ、電気導通弾性シート２の他側には、少なくとも２つの案内タブ２３が設けられ、案内タブ２３と電気導通弾性シート２との内夾角が１２０°より大きい。
【００２１】
前記制限タブ２２は、電気導通弾性シート２に対して垂直となり、制限タブ２２は、電気導通弾性シート２の一側から温度検出シート３の横方向における変位を制限し、好ましくは、制限タブ２２は、２つあり、且つ、２つの制限タブ２２は、それぞれ温度検出シート３の両端に設けられる。前記案内タブ２３は、電気導通弾性シート２に対して１２０°より大きい傾斜角を有し、好ましくは、案内タブ２３は、２つあり、かつ、２つの案内タブ２３は、それぞれ温度検出シート３の両端に設けられ、それによって、温度検出シート３は、２つの固定係合部２１の間に傾斜して取り付けられ、また、案内タブ２３は、他側からも温度検出シート３の横方向における変位を制限し、それによって、温度検出シート３の跳躍変形時の脱落を防止し、温度リミッタの作動安定性を確保する。
【００２２】
前記絶縁ベース１の上端面の両側のいずれにも抜け止め係合部１３が設けられ、絶縁ベース１の上端面の両端のいずれにも衝突防止カードプレート１４が設けられる。前記抜け止め係合部１３は、両側から温度検出シート３の位置を限定し、案内タブ２３が傾斜して設けられ、かつ、温度検出シート３が容易に組み立てられるように、２つの案内タブ２３が温度検出シート３に近い両端に設けられるので、案内タブ２３による横方向制限における制御高さ範囲には限りがあり、抜け止め係合部１３は、２つの案内タブ２３の間に設けられ、且つ抜け止め係合部１３の頂点が温度検出シート３の円弧の頂部よりも高いため、一側の制限タブ２２と他側の抜け止め係合部１３との嵌合により、温度検出シート３が２つの固定係合部２１の間から滑り抜けないようにし、温度検出シート３の電気導通弾性シート２からの脱落の問題が避けられる。
【００２３】
さらに、衝突防止カードプレート１４は、絶縁ベース１の両端からそれにおける電気導通弾性シート２を保護し、前記第２折り畳み板１２１の貫通孔１００には、固定接点１５が設けられ、電気導通弾性シート２の他端には、可動接点２５が設けられ、可動接点２５に対応した衝突防止カードプレート１４の両側のいずれにも絶縁ガードプレート１４１が設けられ、可動接点２５と固定接点１５の接触面積を増大することでアーク放電現象を防止できるが、電気導通弾性シート２のオン・オフ動作により電気スパークの減少が発生してしまい、それに対して、衝突防止カードプレート１４及び両側の絶縁ガードプレート１４１は、可動接点２５を３つの面から包囲することで、電気スパークの外部への放出を防止する。
【００２４】
前記絶縁ベース１の上端面には、ガイド円錐台部１６が設けられ、電気導通弾性シート２の中央部には、制限孔２４が設けられ、ガイド円錐台部１６は、制限孔２４に挿通され、且つガイド円錐台部１６の上端が温度検出シート３の凹面に対応して設けられる。前記制限孔２４とガイド円錐台部１６の軸孔嵌合により、電気導通弾性シート２のオン・オフ動作における横方向のずれを防止できる。通電した状態では、ガイド円錐台部１５と温度検出シート３の凹面が確実に当接せずに接続され、即ち、ガイド円錐台部１５のトップと温度検出シート３との間には隙間が存在し、温度検出シート３は、温度が臨界値を超えると反転し、その凸面が下へ円錐台部１５に当接されて、電気導通弾性シート２の自由端を駆動してバウンスさせて、作動回路をオフにさせる。
【００２５】
ＰＴＣ発熱素子４と電気導通ラップシート４１とをさらに備え、前記絶縁ベース１の底面には、収納キャビティ１７が設けられ、ＰＴＣ発熱素子４は、収納キャビティ１７に設けられ、第２端子１２には、折りタブ１８が設けられ、折りタブ１８の一端が収納キャビティ１７に挿通されかつＰＴＣ発熱素子４の上端面に電気導通可能に設けられる。第１端子１１、電気導通ラップシート４１、ＰＴＣ発熱素子４、折りタブ１８及び第２端子１２は、温度保持回路を構成し、電気導通弾性シート２がバンスした状態では、温度保持回路は、通電状態にあり、ＰＴＣ発熱素子４は、作動して温度検出シート３を復帰温度以上に保持する。前記電気導通ラップシート４１は、「Ｚ」字形曲げシートであり、電気導通ラップシート４１の一端は、ＰＴＣ発熱素子４の下端面に貼り付けられ、電気導通ラップシート４１の他端、電気導通弾性シート２の一端は、第１折り畳み板１１１における貫通孔１００にリベット固定される。電気導通ラップシート４１は、ＰＴＣ発熱素子の固定機構として機能し、また、温度リミッタの最後の組立工程として、電気導通ラップシート４１は、電気導通弾性シート２、第１折り畳み板１１１における貫通孔１００にリベットされ、その結果、組立効率が高まる。
【００２６】
以上は、本考案の好適実施形態に過ぎず、本考案の実用新案登録請求の範囲に記載の構造、特徴及び原理に基づいて行われる同等変化又は修飾は、いずれも本考案の実用新案登録請求の範囲に含まれる。
【符号の説明】
【００２７】
図には、１、絶縁ベース；２、電気導通弾性シート；３、温度検出シート；４、ＰＴＣ発熱素子；１０、射出成形孔；１００、貫通孔；１１、第１端子；１１１、第１折り畳み板；１２、第２端子；１２１、第２折り畳み板；１３、抜け止め係合部；１４、衝突防止カードプレート；１５、固定接点；１６、ガイド円錐台部；１７、収納キャビティ；１８、折りタブ；２１、固定係合部；２２、制限タブ；２３、案内タブ；２４、制限孔；２５、可動接点。
【図１】
0003223641.tif 000003
【図２】
0003223641.tif 000004
【図３】
0003223641.tif 000005
【図４】
0003223641.tif 000006
【手続補正書】
【提出日】令和1年8月23日(2019.8.23)
【手続補正１】
【補正対象書類名】実用新案登録請求の範囲
【補正対象項目名】全文
【補正方法】変更
【補正の内容】
【実用新案登録請求の範囲】
【請求項１】
絶縁ベース（１）、第１端子（１１）、第２端子（１２）、電気導通弾性シート（２）及びアーチ状温度検出シート（３）を備える電気遮断後の復帰可能なバックラップ型温度リミッタであって、前記第１端子（１１）及び第２端子（１２）は、それぞれ絶縁ベース（１）の両端に射出成形して接続され、前記電気導通弾性シート（２）は、絶縁ベース（１）の上端面に設けられ、電気導通弾性シート（２）の一端は、第１端子（１１）に固定して接続され、可動電気導通弾性シート（２）の他端は、第２端子（１２）に嵌合して電気的に接続され、温度検出シート（３）は、電気導通弾性シート（２）の上面に設けられ、前記電気導通弾性シート（２）の両端のいずれにも温度検出シート（３）の端部に係合された固定係合部（２１）が設けられ、電気導通弾性シート（２）の両側には、温度検出シート（３）と嵌合する組立用係合部が設けられることを特徴とする電気遮断後の復帰可能なバックラップ型温度リミッタ。
【請求項２】
前記絶縁ベース（１）の両端のいずれにも射出成形孔（１０）が設けられ、第１端子（１１）には、第１折り畳み板（１１１）が設けられ、第２端子（１２）には、第２折り畳み板（１２１）が設けられ、第１折り畳み板（１１１）及び第２折り畳み板（１２１）は、それぞれ対応した射出成形孔（１０）に挿通されて、射出成形方式によって第１端子（１１）、第２端子（１２）を絶縁ベース（１）に接続して一体構造にし、前記第１折り畳み板（１１１）、第２折り畳み板（１２１）の上端面が絶縁ベース（１）の上端面に露出されており、且つ、第１折り畳み板（１１１）、第２折り畳み板（１２１）のいずれにも垂直貫通孔（１００）が設けられることを特徴とする請求項１に記載の電気遮断後の復帰可能なバックラップ型温度リミッタ。
【請求項３】
前記組立用係合部は、制限タブ（２２）と案内タブ（２３）とを備え、電気導通弾性シート（２）の一側には、少なくとも２つの制限タブ（２２）が設けられ、電気導通弾性シート（２）の他側には、少なくとも２つの案内タブ（２３）が設けられ、案内タブ（２３）と電気導通弾性シート（２）との内夾角が１２０°より大きいことを特徴とする請求項１に記載の電気遮断後の復帰可能なバックラップ型温度リミッタ。
【請求項４】
前記絶縁ベース（１）の上端面の両側のいずれにも抜け止め係合部（１３）が設けられ、絶縁ベース（１）の上端面の両端のいずれにも衝突防止カードプレート（１４）が設けられることを特徴とする請求項３に記載の電気遮断後の復帰可能なバックラップ型温度リミッタ。
【請求項５】
前記第２折り畳み板（１２１）の貫通孔（１００）には、固定接点（１５）が設けられ、電気導通弾性シート（２）の他端には、可動接点（２５）が設けられ、可動接点（２５）に対応した衝突防止カードプレート（１４）の両側のいずれにも絶縁ガードプレート（１４１）が設けられることを特徴とする請求項２に記載の電気遮断後の復帰可能なバックラップ型温度リミッタ。
【請求項６】
前記絶縁ベース（１）の上端面には、ガイド円錐台部（１６）が設けられ、電気導通弾性シート（２）の中央部には、制限孔（２４）が設けられ、ガイド円錐台部（１６）は、制限孔（２４）に挿通され、且つガイド円錐台部（１６）の上端が温度検出シート（３）の凹面に対応して設けられることを特徴とする請求項１に記載の電気遮断後の復帰可能なバックラップ型温度リミッタ。
【請求項７】
ＰＴＣ発熱素子（４）と電気導通ラップシート（４１）とをさらに備え、前記絶縁ベース（１）の底面には、収納キャビティ（１７）が設けられ、ＰＴＣ発熱素子（４）は、収納キャビティ（１７）に設けられ、第２端子（１２）には、折りタブ（１８）が設けられ、折りタブ（１８）の一端が収納キャビティ（１７）に挿通されかつＰＴＣ発熱素子（４）の上端面に電気導通可能に設けられ、前記電気導通ラップシート（４１）は、「Ｚ」字形曲げシートであり、電気導通ラップシート（４１）の一端は、ＰＴＣ発熱素子（４）の下端面に貼り付けられ、電気導通ラップシート（４１）の他端、電気導通弾性シート（２）の一端は、第１折り畳み板（１１１）における貫通孔（１００）にリベット固定されることを特徴とする請求項１に記載の電気遮断後の復帰可能なバックラップ型温度リミッタ。